(57)【要約】【課題】  サイドガラス側から差込む太陽光に対しても遮蔽効果が十分な自動車用サンバイザー装置を提供すること。【解決手段】  自動車用サンバイザー装置は、サンバイザー本体１と、サンバイザー本体１に対して折畳み可能な拡張部１ｂを有し、拡張部１ｂを折畳まれた状態から開くことにより長さを拡張することができ、拡張部１ｂのフック取付部６ｂがサイドガラス８側上部に設けられた固定用フック７ｂに掛けられるようになっているので、サイドガラス８側から車内へ差込む太陽光も十分に遮蔽することができる。サンバイザー本体１の収納部１ａに拡張部１ｂが収納されると、サンバイザー本体１の厚さと等しくなる。【選択図】  図２
0003143181.tif 000002
【実用新案登録請求の範囲】
【請求項１】
車両側面サイドガラス側から車内へ差込む太陽光を遮蔽するための自動車用サンバイザー装置であって、
前記自動車用サンバイザー装置は、サンバイザー本体と、該サンバイザー本体に対して折畳み可能な拡張部を有し、
前記拡張部を折畳まれた状態から開くことにより長さを拡張できることを特徴とする、
自動車用サンバイザー装置。
【請求項２】
前記サンバイザー本体が前記拡張部の収納部を有し、該拡張部の収納時に前記サンバイザー本体の厚さと等しくなる、請求項１の自動車用サンバイザー装置。
【請求項３】
前記拡張部がフック取付部を有し、該フック取付部が前記サイドガラス側上部に設けられた固定用フックに掛けられる、請求項１又は２の自動車用サンバイザー装置。
【考案の詳細な説明】
【技術分野】
【０００１】
本考案は、太陽光を遮蔽するための自動車用サンバイザー装置に関する。
【背景技術】
【０００２】
従来の自動車用サンバイザーは、車内天井前縁部の両角に取付ベースを設け、板状のサンバイザー本体を取付シャフトに対し上下揺動可能にするとともに、サンバイザー本体をサイドガラス側にも回動可能に形成し、車両の前方又は側面から差込む太陽光を遮蔽するものであった。
【考案の開示】
【考案が解決しようとする課題】
【０００３】
しかし、従来の自動車用サンバイザーは、車両前方フロントガラス側から差込む太陽光の遮蔽を主に意図して作られている為、サイドガラス側へ９０度回動させて利用しても、車両側面サイドガラス側から差込む太陽光に対してはサンバイザーの長さが１０ｃｍから２０ｃｍ程短く、乗員の頭部部分に太陽光が入射する等、遮蔽効果が不十分な場合が多いという問題がある。
【０００４】
本考案は、車両側面サイドガラス側から車内へ差込む太陽光、特に、乗員の頭部部分に対しても十分な遮蔽効果が得られる自動車用サンバイザー装置を、既存のサンバイザー装置に改良を加えることによって提供することを目的とする。
【課題を解決するための手段】
【０００５】
本考案は、
車両側面サイドガラス側から車内へ差込む太陽光を遮蔽するための自動車用サンバイザー装置であって、
前記自動車用サンバイザー装置は、サンバイザー本体と、該サンバイザー本体に対して折畳み可能な拡張部を有し、
前記拡張部を折畳まれた状態から開くことにより長さを拡張できることを特徴とする自動車用折畳み式サンバイザー装置によって、前記課題を解決した。
【考案の効果】
【０００６】
本考案によれば、サンバイザーの長さを横方向に拡張可能にすることにより、第一義的に車両前方フロントガラス側から差込む太陽光を遮蔽するため設置されているサンバイザーであっても、車両側面サイドガラス側から差込む太陽光をより広範囲に遮蔽することができ、十分な日除け効果を発揮させることができる。
【考案を実施するための最良の形態】
【０００７】
以下、本考案の実施形態を、図１から図６を参照しながら説明する。
図１は、本考案の実施形態の自動車用サンバイザー装置（以下、単に、「サンバイザー装置」という。）の正面図、図２は、サンバイザー装置の車両側面サイドガラス側から差込む太陽光を遮蔽する使用状態を示す正面図、図３は、サンバイザー装置の車両前方フロントガラス側から差込む太陽光を遮蔽する使用状態を示す正面図、図４はサンバイザー装置を車内天井側に収納した状態を示す正面図、図５はフロント側フックを横から見た側面図、図６はサイド側フックを横から見た側面図である。
【０００８】
本考案のサンバイザー装置は、図１に示すように、サンバイザー本体１、サンバイザー本体１に挿入される取付シャフト４、サンバイザー本体１を車内天井部に固定させる取付ベース５、図３及び図５に示すフロント側フック７ａを具えている。
【０００９】
サンバイザー本体１は、サンバイザー拡張部の収納部１ａ（以下、「収納部１ａ」という。）、サンバイザー拡張部１ｂ（以下、「拡張部１ｂ」という。）、収納部１ａと拡張部１ｂとをつなぐヒンジ部２、折畳んだ際に、収納部１ａと拡張部１ｂとを接着させる面ファスナー３、収納部フック取付部６ａ、拡張部フック取付部６ｂを含む。
【００１０】
太陽光が車両側面サイドガラス側から差込む場合は、図２に示すように、収納部１ａから拡張部１ｂを開き、サンバイザーの横方向の長さを拡張することにより、太陽光をより広範囲で遮蔽することができるようになる。
【００１１】
加えて、本考案においては、折畳んだ際に、サンバイザー本体１の厚さを一様にするため、サンバイザー収納部１ａと拡張部１ｂを合わせた厚さが、サンバイザー本体１の厚さと等しくなっていることが好ましい。
【００１２】
また、車内側面サイドガラス側天井部にサイド側フック７ｂを設け、拡張部フック取付部６ｂを、サイド側フック７ｂに掛け、拡張部１ｂを１８０度開いた状態で維持できるようにすることが好ましい。
【００１３】
車内側面サイドガラス側天井部に設けられるサイド側フック７ｂは、図６に示すように、端部の折曲げ部により形成される内側の空間が、拡張部フック取付部６ｂの厚さ及びその半円形の断面に対応した形になっている。
【００１４】
サイド側フック７ｂは、端部が丸みを帯びており、フックに柔軟な素材を用いることにより、拡張部フック取付部６ｂのサイド側フック７ｂに対する掛け・外しが容易にできるようになっている。
【００１５】
太陽光が車両前方フロントガラス側から差込む場合は、図３に示すように、拡張部１ｂを収納部１ａに収納して使用する。収納した状態を維持するため、図１に示される面ファスナー３が収納部１ａ及び拡張部１ｂの合わさる面に設置されている。これにより、容易に拡張部１ｂを開閉でき、サンバイザー装置を横方向へ拡張、又は拡張前の長さに戻すことができる。
【００１６】
収納後のサンバイザー装置は、車両前方フロントガラス側へ回動可能であり、取付シャフト４と取付ベース５により既存のサンバイザーと変わりなく取付シャフト４に対し上下揺動可能に、フロントガラス側からの太陽光を遮蔽することができる。
【００１７】
また、図３に示すように、拡張部１ｂを収納部１ａに収納する際、収納部フック取付部６ａと拡張部フック取付部６ｂとが密着するが、収納部フック取付部６ａと拡張部フック取付部６ｂは、密着させた状態で、車内前方天井部に設けられているフロント側フック７ａに掛ける。
【００１８】
車内前方フロントガラス側天井部に設けられるフロント側フック７ａも、図５に示すように、端部を折曲げたものであり、屈曲により形成される内側の空間は、拡張部フック取付部６ｂと収納部フック取付部６ａを合わせた厚さ及びその円形の断面に対応した形になっている。これにより、サンバイザー装置を車両前方フロントガラス側に設置できるとともに、上下にも揺動可能となる。
【００１９】
フロント側フック７ａも、端部が丸みを帯びており、フックに柔軟な素材を用いることにより、拡張部フック取付部６ｂと収納部フック取付部６ａを合わせたものを、フロント側フック７ａに対して、容易に、掛けたり外したりすることができる。
【００２０】
太陽光が車内へ差込まない等、使用しない場合は、図４に示すとおり、既存のサンバイザーと変わりなく、車内天井側に収納できる。
【図面の簡単な説明】
【００２１】
【図１】本考案の自動車用サンバイザー装置の正面図（例として、助手席側にて使用するサンバイザーを図示）。
【図２】本考案の自動車用サンバイザー装置の車両側面サイドガラス側からの太陽光を防ぐ使用状態を示す正面図。
【図３】本考案の自動車用サンバイザー装置の車両前方フロントガラス側からの太陽光を防ぐ使用状態を示す正面図。
【図４】本考案の自動車用サンバイザー装置を車内天井側に収納した状態を示す正面図。
【図５】フロント側フックを横から見た側面図。
【図６】サイド側フックを横から見た側面図。
【符号の説明】
【００２２】
１・・・サンバイザー本体
１ａ・・サンバイザー拡張部の収納部
１ｂ・・サンバイザー拡張部
２・・・ヒンジ部
３・・・面ファスナー
６ａ・・収納部フック取付部
６ｂ・・拡張部フック取付部
７ａ・・フロント側フック
７ｂ・・サイド側フック
８・・・サイドガラス
【図１】
0003143181.tif 000003
【図２】
0003143181.tif 000004
【図３】
0003143181.tif 000005
【図４】
0003143181.tif 000006
【図５】
0003143181.tif 000007
【図６】
0003143181.tif 000008